(57)【特許請求の範囲】
【請求項１】
折り畳んだ状態では平坦であり、粉状又は粒状の物を入れた状態では膨らんで立体形状となる粉・粒状体の包装袋であって、筒状の胴部とその胴部の下端に接続される底部とがフィルムにより形成され、前記胴部の上端に開口部があって、その開口部付近に袋を密封するための雌雄咬合型のチャックを備え、前記立体形状となった状態で自立できるように前記底部のみがガゼット形状になっている粉・粒状体の包装袋において、
前記チャックの雄型部分の長手方向に沿った突出部分を前記自立の状態における上下方向に二分する横に長い溝を備え、
前記チャックの雄型部分は、前記横に長い溝と、前記横に長い溝の前記開口部側に隣接する雄上側突出部と、前記横に長い溝の前記胴部側に隣接する雄下側突出部とを備え、
雌雄咬み合わせ状態における前記チャックの前記開口部側の嵌合強度を前記胴部側の嵌合強度より弱くするために、前記雄上側突出部の先端部付近を支持する部分の厚さが、前記雄下側突出部の先端部付近を支持する部分の厚さより薄く形成されていること
を特徴とする粉・粒状体の包装袋。
【発明の詳細な説明】
【技術分野】
【０００１】
本発明は、一般家庭や業務用調理場等において、調理材料等のうち、特に小麦粉やコーヒー等の粉や粒状の物を入れるのに適した粉・粒状体の包装袋に関するものである。
【背景技術】
【０００２】
従来、この種の包装袋は、折り畳んだときに平坦で、内容物を入れたときに膨らんで立体形になるが、その膨らみを大きくするために、底部、または底部と両サイドにガセット（いわゆる横ガセット）を設けている場合が多い。また、使用者の手に渡ってから中身の出し入れを度々行う必要のあるものについては、上部の開口部に雌雄咬合型のチャックを設けているものが多いが、チャックが設けられている包装袋には、ガセットの全く無いシンプルなものか、底部のみにガセットを設けているものが殆どである。それは、横ガセットがあると、ガセットの上部とチャックの両端との組み合わせに特別な工夫を要し、この部分の構造が複雑になるからである。
【０００３】
このような包装袋に入れられる内容物としては、小麦粉、天ぷら粉、コーヒー、砂糖、塩などの食材や調味料で、粉状や粒状のものが多く、これらは、殆ど上述したような包装袋に充填されて、運搬、保管され、使用される。これらの包装袋に多く期待されることは、使用者の立場からは、使い勝手がよいこと、すなわち有効容量が大きく、中身が取り出しやすいこと、使用中に自立ができ、開口部を上にして置いても容易には倒れないこと、などがある。一方、提供者の立場からは、製造、輸送、保管、陳列に有利で、特にコストが安いことが最大の要件となる。そのためには、構造が簡単で袋の素材は安価なほどよい。
【０００４】
これらの要件を満たすものとして、本出願人は、既に、単純な構造で安価な素材を使用し、しかも、粉状又は粒状の物の出し入れが容易なように開口部が大きく、使用途中に残った物の密閉保存ができ、かつ、どのような状態でも自立させて置くことができるような使い勝手のよい「粉・粒状体の包装袋」（特許文献１参照）を提案している。
【特許文献１】特開２００３−１０４３８８号公報
【発明の開示】
【発明が解決しようとする課題】
【０００５】
上記特許文献１に示されたものを含め、上部の開口部にチャックを設けた従来のものについては、それらのチャックの構造は、概ね図１２に示すようになっている。図１２は、従来例の包装袋１００を、底部１０２を内側に折り込んで畳み、平坦な状態として、雌雄咬合型チャック１０３の長手方向に直角な仮想平面で切断し、その端面を示したものである。図中の大きな円で囲んだ部分は、小さい円で囲んだ部分（チャック１０３の付近）を拡大して示した断面図である。
【０００６】
図１２に示すように、従来のこの種の袋の開口部を密閉するためのチャック１０３は、横に長い雌型部分上下の突出部１０４ａ、１０４ｂと、それに対向する雄型部分の突出部１０５ａで構成されている。開口部１０９は、雌型の突出部１０４ａと１０４ｂの間に雄型の突出部１０５ａを挿入したときに、密閉状態となる。
このような包装袋のチャックに対し期待される機能としては、チャック咬合部の嵌合強度が適当であって、包装袋に内容物が一杯にいれられた状態で段ボールなどの箱にそれら包装袋が複数詰め込まれて輸送される場合でも、終始密閉機能が完全に維持され、また、使用者が開口部１０３の開閉を繰り返しても、常にその操作に不便を感じないことである。
【０００７】
しかし、従来のチャック構造では、上述の二つの要件を完全に満たすような嵌合強度の実現は相当困難であるので、一般的には、開封の容易さより密閉機能を優先する傾向がある。ところが、最近では、使用者の高齢化が進み、開口部を指先で摘まむ力が低下し、開封時に困難を感じること多い。
【０００８】
本発明の課題は、包装袋の内側（胴部）から開こうとする力に対応する抵抗力は十分にあり、かつ開口部側からは弱い力でも比較的容易に開くことができるようチャックの構造を改良することにより、運搬時に支障なく、しかも開封が容易で、従来製品より使い勝手のよい粉・粒状体の包装袋を提供することである。
【課題を解決するための手段】
【０００９】
前記課題を解決するための、請求項１の発明は、折り畳んだ状態では平坦であり、粉状又は粒状の物を入れた状態では膨らんで立体形状となる粉・粒状体の包装袋であって、筒状の胴部（１）とその胴部（１）の下端に接続される底部（２）とがフィルムにより形成され、前記胴部（１）の上端に開口部（９）があって、その開口部（９）付近に袋を密封するための雌雄咬合型のチャック（３）を備え、前記立体形状となった状態で自立できるように前記底部（２）のみがガゼット形状になっている粉・粒状体の包装袋において、前記チャックの雄型部分（５）の長手方向に沿った突出部分（５ａ、５ｂ）を前記自立の状態における上下方向に二分する横に長い溝（５ｃ）を備え、前記チャックの雄型部分は、前記横に長い溝と、前記横に長い溝の前記開口部側に隣接する雄上側突出部と、前記横に長い溝の前記胴部側に隣接する雄下側突出部とを備え、雌雄咬み合わせ状態における前記チャックの前記開口部側の嵌合強度を前記胴部側の嵌合強度より弱くするために、前記雄上側突出部の先端部付近を支持する部分の厚さが、前記雄下側突出部の先端部付近を支持する部分の厚さより薄く形成されていることを特徴とする粉・粒状体の包装袋である。
【発明の効果】
【００１３】
本発明によれば、以下のような効果がある。
（１）  袋の開口部付近に、密封するための雌雄咬合型のチャックを備える粉・粒状体の包装袋において、チャックの雄型部分に、長手方向に沿って雄型の突出部分を上下に二分するように設けた溝を備えることによって、チャックを胴部側から開くよう働く力と、チャックの上側の部分を指で摘まんでこれを開く力とに対し、溝の上下の別の部分で独立して対応させて、抵抗する度合いに差を設けることができるので、保管や運搬時などの外力、あるいは衝撃に対しては容易に開かず、使用時の開封に際しては、従来に比べ遥かに小さい力でチャックを開くことができるようになる。
【００１４】
（２）  上記の包装袋において、チャックは、横に長い溝によって雄上側突出部と雄下側突出部に分かれているので、雄上側突出部と雌上側突出部との咬み合わせの深さが、雄下側突出部と雌下側突出部との咬み合わせの深さより浅くなるよう、雄上側突出部と雄下側突出部のそれぞれの先端部付近の形状に差をつけることにより、上記（１）の効果をより確実、かつ容易に実現することができる。
【００１５】
（３）  上記の包装袋において、チャックは、横に長い溝によって雄上側突出部と雄下側突出部に分かれているので、雄上側突出部と雄下側突出部のそれぞれの先端部付近の支持部分の厚さに差を設け、下側の厚さより上側の厚さを薄く形成することにより、上記（２）と同様の効果を実現することができる。
【００１６】
（４）  上記の包装袋において、チャックは、横に長い溝によって雄上側突出部と雄下側突出部に分かれているので、これらに対向する雌上側突出部と雌下側突出部の形状に差を設けて、下側の雌雄咬み合わせ程度より上側の雌雄咬み合わせ程度を浅くすることによっても、上記（２）と同様の効果を実現することができる。
【発明を実施するための最良の形態】
【００１７】
本発明は、上端の開口部付近に、袋を密封するための雌雄咬合型のチャックを備える粉・粒状体の包装袋において、チャックの雄型部分に、その突出部分を上下に二分する横に長い溝を設けることにより、チャックを袋の内側から開こうとする力に十分対応でき、かつ、開口部側からは弱い力でも比較的容易に開くことができるようにする。
【実施例１】
【００１８】
以下に図面等を参照して、発明を実施するための最良の形態を、実施例をあげて説明する。
図１は、本発明による実施例１の粉・粒状体の包装袋（以下、包装袋という）を、底部を内側に折り畳んだ状態で、その中央部を縦に、チャックの長手方向に直角な仮想平面（図２中に示すｙ−ｚ面）で切断した端面を示す説明図（断面図）である。
図１は、チャック３の主要部分（図中に小さい円で囲んだ部分）を拡大して図中の別の部分（大きい円で囲んだ部分）に示してある。
【００１９】
図１に示すように、包装袋１０の開口部９を開閉するためのチャック３は、雌雄咬合型のチャックであって、雌型部分４とそれに対向する雄型部分５によって構成されている。
雌型部分４は、従来技術と同様に、雄型部分５を挿入した場合に、雄型部分５の上側と下側を挟むようになっている。雌型部分４は、内側に向かって突出する雌上側突出部４ａと雌下側突出部４ｂを備えている。雄型部分５は、中央に横に細長く設けられた本発明の特徴である溝５ｃが形成されており、その上側に沿って雄上側突出部５ａ、その下側に沿って雄下側突出部５ｂがそれぞれ突出する形になっている。
【００２０】
包装袋１０は、食品材料などの粉または粒状体の内容物を入れると、図２のような状態になる。図２は、図１の包装袋１０に内容物を入れた状態の外観を示す斜視図である。
図３は、図２の状態で、段ボール箱詰め、運搬の作業中などに、例えば外側面から矢印
Ｐｏで示す押し圧力が加えられた場合の各部に発生する圧力、張力などをモデル化して示す説明図（断面図）である。
図３に示すように、矢印Ｐｏで示す押し圧力が加えられると、包装袋１０の内側には、チャック３の下側に続く袋の胴部を形成する前面フィルム１ａ、及び後面フィルム１ｂに対して、内部空気による圧力Ｐｉが発生する。それゆえ、チャック３の下側に続く前面フィルム１ａ、及び後面フィルム１ｂには、矢印Ｐｔで示す引っ張り力が現れる。
【００２１】
一方、開口部９を開く場合には、チャック３の開口部９側に続く前面フィルム１ａ、及び後面フィルム１ｂの略中央の部分を、両手の親指と人差し指で摘まんで引っ張る。このとき、チャック３の下側（袋の胴部側）は、人差し指の先で外側から押され、上側（開口部側）は、親指で外側に向かって引っ張られる。そこで、チャック３は、下側を支点とし、上側が回転するようにして、チャック３の中央部が局部的に開かれる。
図４は、チャック３を開くときの使用者の指先と、チャック３の関係を示す説明図（斜視図）である。
【００２２】
図５は、閉じた状態にあるチャック３と、それを開こうとして働く力との関係を示す説明図（拡大断面図）である。
図５に示す状態では、雌型部分４の雌上側突出部４ａと雄型部分５の雄上側突出部５ａが咬合し、雌型部分４の雌下側突出部４ｂと雄型部分５の雄下側突出部５ｂが咬合している。
この状態において、図３に矢印Ｐｏで示す押し圧力が胴部のフィルム１ａ、１ｂに加えられると、チャック３の胴部側が、図５の図中にモデル化して示した点線の矢印Ｐｔの引っ張り力を受ける。矢印Ｐｔの引っ張り力は、チャック３の咬合の下側で、しかも横に長いチャックのすべての部分に分散してかかるので、引っ張り力Ｐｔによって容易にチャック３が開くことはない。
【００２３】
一方、使用者が両手の指先で、開口部９を開こうとすると、図５中に実線の矢印Ｐａ、及びＰｂで示す方向に力が加わる。
矢印Ｐａ、及びＰｂは、横に長いチャック３の略中央部分に集中してかかり、しかもチャック３に対し、上側と下側とでは逆方向に働く。したがって、雌型部分４と雄型部分５は、それぞれ下端付近を支点として回動する。それゆえ、両手の人差し指で押す力による下側の矢印Ｐｂの力は、下側の咬合状態には影響を与えず、上側の矢印Ｐａの力のみが集中的にチャック上側の中央部の咬合を開く方向に働く。
しかも、雄型部分５には、横方向に中央に細長く設けられた溝５ｃがあって、雄上側突出部５ａと雄下側突出部５ｂが、それぞれ独立して動くようになっている。
【００２４】
図６は、指先でチャック３を開く場合に、最初に開口部側の咬合が外れるときの状況を示す説明図（部分拡大断面図）である。
図６に示すように、チャック３の矢印Ｐａ（図５参照）で示す上側の力によって、雌上側突出部４ａと雄上側突出部５ａを引き離そうとする場合、それぞれの先端付近の接触部分が滑りながら、雌上側突出部４ａは押し上げられ、雄上側突出部５ａは押し下げられるが、このとき雄上側突出部５ａの動きは雄下側突出部５ｂに伝えられることはなく、すべて横に長い溝５ｃで吸収されてしまう。
【００２５】
よって、雄上側突出部５ａの上端から雄下側突出部５ｂの下端までの距離は、通常状態におけるＬａより短くなってＬｂとなる。このとき同時に雌上側突出部４ａも上方向へ動くので、チャック３の開口部側の咬合は、横に長い係合の中央の限られた部分だけであれば、開放する力が小さい場合でも比較的容易に開放され得る。そして、いったん一箇所の咬合が解かれチャック３が開かれると、上側咬合の他の隣接する部分の開放は容易となる。
【００２６】
図７は、図６の状態を経て、下側の咬合が開放される状況を示す説明図（部分拡大断面図）である。この場合も、図６の場合と同様に、雌下側突出部４ｂと雄下側突出部５ｂを引き離そうとするとき、それぞれの先端付近の接触部分が滑りながら、雌下側突出部４ｂは押し下げられ、雄下側突出部５ｂは押し上げられるが、この雄下側突出部５ｂの動きは雄上側突出部５ａに伝えられることはなく、すべて横に長い溝５ｃで吸収されてしまう。
よって、雄上側突出部５ａの上端から雄下側突出部５ｂの下端までの距離は、通常の状態におけるＬａより短くなりＬｃとなる。このとき、雌下側突出部４ｂも下側に動くので、上側の咬合の開放に続き、雌下側突出部４ｂと雄下側突出部５ｂの咬合の開放も容易となる。
【００２７】
一方、図３に矢印Ｐｉで示す内部空気による圧力が胴部のフィルム１ａ、１ｂに加えられ、チャック３に図５中の点線で示される矢印Ｐｔの引っ張り力が加わった場合は、図８に示すように、チャック３の下側に、チャックが開く方向に引っ張る力が発生するが、そのために雌下側突出部４ｂと雄下側突出部５ｂの先端部が下方向に開くことがあっても、圧力が加えられる以前の状態（図８中に二点鎖線で示す状態）の位置から、それぞれ下向へ動く距離は僅かで、しかも、それは同時かつ略同量であるので、チャック３が開けられることへの影響は少ない。図８は、その様子をモデル化して示す説明図（部分拡大断面図）である。
【実施例２】
【００２８】
実施例１では、図５〜８に示すように、チャック３の雄型部分の中央に、横方向に長い溝５ｃを設けることによって、チャックの胴部側から開こうとする力と、開口部側から開封する力との間に、差をつけることができるが、実施例２では、雄上側突出部と雄下側突出部の断面を、雄型部分の横に長い溝に関し非対称形とすることによって、さらに、開口部側からの開封を容易にすることができる。
【００２９】
図９は、本発明による粉・粒状体の包装袋の実施例２におけるチャックの断面の一例を示す説明図である。図９は、上記の開封を容易にする手段として、雄上側突出部１５ａと雄下側突出部１５ｂの断面のそれぞれの先端付近の形状を異なるようにしたものである。すなわち実施例２の包装袋のチャックにおいては、図９に示すように、雄下側突出部１５ｂの先端部は、根本方向に折返すフック状となっているが、雄上側突出部１５ａの先端部は、折返し部分がなく、単に山形の外側に向かった出っ張りがあるだけである。このようにすれば、雄上側突出部１５ａと雌上側突出部１４ａとの引っ掛かり具合が浅くなるので、指先で摘まんで開封する場合、それら二者の咬合解除が図６と同様の過程において、図６の場合よりいっそう小さい力でなされることとなる。
【００３０】
図９に示す形状のチャックにおいて、上側（開口部側）及び下側（胴部側）の嵌合強度を様々に変化させたチャックを複数作製した。
これらを人手により、上側（開口部側）及び下側（胴部側）から開封する試験を行った。
なお、上側の咬合と下側の咬合のそれぞれの嵌合強度は、デジタルフォースゲージにより測定した。
測定は、周囲温度２３℃、引張速度３００ｍｍ／ｍｉｎ、測定幅５０ｍｍの条件下で行った。
人手による開封試験結果は以下のようであった。
【００３１】
【表１】
0005044303.tif 000002
【００３２】
この結果より、下側（胴部側）では、３０〜６０Ｎが好適であるのに対し、上側（開口部側）では、５〜２０Ｎが好適であることが分かった。
【実施例３】
【００３３】
図１０は、本発明による粉・粒状体の包装袋の実施例３におけるチャックの断面の一例を示す説明図である。図１０は、開口部側からの開封を一層容易にする手段として、雄上側突出部２５ａと雄下側突出部２５ｂの断面を、横に長い溝２５ｃに対し非対称形とし、雄上側突出部２５ａと雄下側突出部２５ｂの断面において、雄上側突出部２５ａの先端付近を支持する部分２５ａ−１と、雄下側突出部２５ｂの先端付近を支持する部分２５ｂ−１との厚さを異なるようにしたものである。すなわち、図１０に示すように、雄上側突出部２５ａの先端付近を支持する部分２５ａ−１は、雄下側突出部２５ｂの先端付近を支持する部分２５ｂ−１よりも薄くしてある。このようにすれば、雄上側突出部２５ａの姿勢に柔軟性が増すので、指先で摘まんで開封する場合、図６と同様の過程において、実施例２と略同様の結果を得ることができる。
【実施例４】
【００３４】
図１１は、本発明による粉・粒状体の包装袋の実施例４におけるチャックの断面の一例を示す説明図である。図１１は、開口部側からの開封を一層容易にする手段として、雌上側突出部３４ａと雌下側突出部３４ｂの断面を、両突出部の中間の仮想平面に対し、それぞれの先端付近の形状を異なるようにしたものである。
すなわち、実施例４の包装袋のチャック３は、図１１に示すように、雌下側突出部３４ｂの先端部は、根本方向に折返すフック状となっているが、雌上側突出部３４ａの先端部は、折返し部分がなく、単に内側に向かった山形の出っ張りがあるだけである。このようにすれば、指先で摘まんで開封する場合、雌上側突出部３４ａと雄上側突出部３５ａの咬合解除が図６と同様の過程において、図６の場合よりいっそう小さい力でなされることとなる。
【００３５】
（変形例）
以上説明した実施例に限定されることなく、種々の変形や変更が可能であって、それらも本発明の均等の範囲内である。例えば、包装袋の本体の形状は、図１〜図３に図示した以外のものであってもよい。また、チャックの構造も、雌型部分、雄型部分の形状、相対寸法などが、本発明の主旨に沿うものであれば、どんなものでもよい。例えば、図１、及び図５〜図８に示すチャックの雌雄の突起部は、先端部の形状が、根本方向に折返すフック状になっているが、これらの一部、または全てのものが、従来のチャックに多くみられる球状、またはその他のフック以外の形状であってもよい。
【図面の簡単な説明】
【００３６】
【図１】本発明による粉・粒状体の包装袋の実施例１の構造を示す説明図（断面図）である。
【図２】図１の包装袋に内容物を入れた状態の外観を示す斜視図である。
【図３】図２の状態で、外側面から押し圧力が加えられた場合に発生する力を示す説明図（断面図）である。
【図４】チャックを開くときの指先とチャックとの関係を示す説明図（斜視図）である。
【図５】閉じた状態にあるチャックと、開こうとする力との関係を示す説明図（拡大断面図）である。
【図６】指先でチャックを開く場合の開口部側の咬合が外れるときの状況を示す説明図（部分拡大断面図）である。
【図７】図６の状態を経て胴部側の咬合が開放される状況を示す説明図（部分拡大断面図）である。
【図８】包装袋の内側からチャックを開く力がかかった場合の各部の状況を示す説明図（部分拡大断面図）である。
【図９】実施例２のチャックの断面の一例を示す説明図（断面図）である。
【図１０】実施例３のチャックの断面の一例を示す説明図（断面図）である。
【図１１】実施例４のチャックの断面の一例を示す説明図（断面図）である。
【図１２】従来例の包装袋を折り畳んだ状態で示した説明図（断面図）である。
【符号の説明】
【００３７】
１    胴部
１ａ    前面フィルム
１ｂ    後面フィルム
２    底部
３    チャック
４、１４、２４、３４    チャックの雌型部分
４ａ、１４ａ、２４ａ、３４ａ    雌上側突出部
４ｂ、１４ｂ、２４ｂ、３４ｂ    雌下側突出部
５、１５、２５、３５    チャックの雄型部分
５ａ、１５ａ、２５ａ、３５ａ    雄上側突出部
５ｂ、１５ｂ、２５ｂ、３５ｂ    雄下側突出部
５ｃ、１５ｃ、２５ｃ、３５ｃ    雄型部分の溝
９    開口部
【図１】
0005044303.tif 000003
【図２】
0005044303.tif 000004
【図３】
0005044303.tif 000005
【図４】
0005044303.tif 000006
【図５】
0005044303.tif 000007
【図６】
0005044303.tif 000008
【図７】
0005044303.tif 000009
【図８】
0005044303.tif 000010
【図９】
0005044303.tif 000011
【図１０】
0005044303.tif 000012
【図１１】
0005044303.tif 000013
【図１２】
0005044303.tif 000014